(57)【要約】【課題】  本発明は、筺体表面の面積を占有することなく予備の入力部材を予め収納し、ペン等の入力部材の紛失に備えることが可能な電子機器を提供する。【解決手段】  パソコン１の本体ケース２の背面部にあるバッテリ収納部２１に、着脱自在にバッテリ２０が収納されている。このバッテリ収納部２１の側面には予備ペン収納部２９が設けられ、この予備ペン収納部２９に第２のペン２８を取り付けた状態でもバッテリ２０の着脱に影響を与えない構造となっている。そして、ユーザが第１のペン８を使用している場合は、第２のペン２８は予備ペン収納部２９に収納され、バッテリ２０が取り付けられている。そしてユーザが紛失等により第１のペンを使用できない場合、バッテリ２０を取り外し、第２のペン２８を予備ペン収納部２９から取り外して第１のペン８の代わりに使用することが可能となる。【選択図】  図５
2005108038.tif 000002
【特許請求の範囲】
【請求項１】
表示部と一体になったタッチパネルを有し、このタッチパネルに対して入力部材を用いて各種情報を入力可能に構成された電子機器において、
上記タッチパネルに接触することにより各種情報を入力するための第１の入力部材をその一部が外部へ露出するよう収納する第１の収納部と、
上記第１の入力部材とは別体に形成され、上記タッチパネルに接触することにより各種情報を入力するための第２の入力部材を外部へ露出することなく当該電子機器の筺体内部に収納する第２の収納部と、
を有することを特徴とする電子機器。
【請求項２】
表示部と一体になったタッチパネルを有し、このタッチパネルに対して入力部材を用いて各種情報を入力可能に構成された電子機器において、
上記タッチパネルに接触することにより各種情報を入力するための第１の入力部材をその一部が外部へ露出するよう収納する第１の収納部と、
上記第１の入力部材とは別体でかつ上記第１の入力部材よりも小さく形成され、上記タッチパネルに接触することにより各種情報を入力するための第２の入力部材を外部へ露出することなく当該電子機器の筺体内部に収納する第２の収納部と、
を有することを特徴とする電子機器。
【請求項３】
上記第２の収納部は、当該電子機器の筺体内部で、バッテリを収納するバッテリ収納部に隣接した部位に形成されていることを特徴とする請求項１または請求項２のいずれか記載の電子機器。
【請求項４】
上記第２の収納部は、当該電子機器の筺体内部で、バッテリを収納するバッテリ収納部の側面部に形成されていることを特徴とする請求項１または請求項２のいずれか記載の電子機器。
【発明の詳細な説明】
【技術分野】
【０００１】
本発明は、入力にペン形状の入力部材を用いる電子機器に関し、より詳しくは予備の入力部材の収納に関する。
【背景技術】
【０００２】
近年、電子機器の小型軽量化が進み、携帯用の電子機器においてはキーボードを用いるかわりに、ペン形状の入力部材を用いた入力が行われるようになってきた。このペン形状の入力部材においては、その紛失を防ぐため、電子機器の筺体の一部に収納するのが一般的である（例えば特許文献１参照。）。
【特許文献１】特開平８−３１４５７１号公報
【発明の開示】
【発明が解決しようとする課題】
【０００３】
しかしながら、従来の装置では、ペンの紛失を防止するための収納部が電子機器の筺体に設けられているが、ユーザが収納部にペンを確実に戻すとは限らず、ユーザによるペンの紛失は防止することの不可能な課題の１つであった。そのため、ユーザは、ペンが紛失した場合あるいは予めペンの紛失に備えて、代替となるペンを別途購入するか、事前にペンを購入した上で電子機器とは別に所持していなければならなかった。また、電子機器に予め予備のペンがセットされていた場合には、更に予備のペンを収納するために収納部を電子機器の筺体に形成する必要があり、筺体表面の面積を占有することとなり、電子機器の小型化の障害となっていた。
【０００４】
本発明は、以上の点に鑑みなされたもので、筺体表面の面積を占有することなく予備の入力部材を予め収納し、ペン等の入力部材の紛失に備えることが可能な電子機器を提供することを目的とする。
【課題を解決するための手段】
【０００５】
上記目的を達成するために、本発明の電子機器は、表示部と一体になったタッチパネルを有し、このタッチパネルに対して入力部材を用いて各種情報を入力可能に構成された電子機器において、上記タッチパネルに接触することにより各種情報を入力するための第１の入力部材をその一部が外部へ露出するよう収納する第１の収納部と、上記第１の入力部材とは別体に形成され、上記タッチパネルに接触することにより各種情報を入力するための第２の入力部材を外部へ露出することなく当該電子機器の筺体内部に収納する第２の収納部と、を有することを特徴とする。
【０００６】
上記目的を達成するために、本発明の電子機器は、表示部と一体になったタッチパネルを有し、このタッチパネルに対して入力部材を用いて各種情報を入力可能に構成された電子機器において、上記タッチパネルに接触することにより各種情報を入力するための第１の入力部材をその一部が外部へ露出するよう収納する第１の収納部と、上記第１の入力部材とは別体でかつ上記第１の入力部材よりも小さく形成され、上記タッチパネルに接触することにより各種情報を入力するための第２の入力部材を外部へ露出することなく当該電子機器の筺体内部に収納する第２の収納部と、を有することを特徴とする。
【発明の効果】
【０００７】
本発明によれば、筺体表面の面積を占有することなく予備の入力部材を予め収納し、ペン等の入力部材の紛失に備えることができる。
【発明を実施するための最良の形態】
【０００８】
以下、本発明に係る実施の形態について図面を参照して詳細に説明する。図１は、本発明の電子機器の例としてパーソナルコンピュータ（以下パソコン）１の構成を示す図である。
【０００９】
図１に示すパソコン１は、本体ケース２と表示部ケース３とを備える。本体ケース２には上面部にキーボード４及びポインティングデバイスとなるタッチパッド５が配設されている。またＣＰＵ（Central  Processing  Unit）などが実装された回路基板や記憶媒体（図示せぬ）などを内蔵している。
【００１０】
表示部ケース３は液晶ディスプレイ（以下、ＬＣＤと称す）６とタッチパネル７とが設けられている。ＬＣＤ６は情報を表示する表示部の一例であり、本体ケース２内の回路基板と電気的に接続されている。
【００１１】
また、表示部ケース３には、タッチパネル７へ情報の入力を行うことが可能な第１のペン８を収納可能な第１の収納部９が設けられている。この第１の収納部９においては、第１のペン８の側面が外部に露出した状態で第１のペン８が収納される。タッチパネル７へ情報の入力を行う際は、第１のペン８を用いてＬＣＤ６に表示されたカーソルやメニュー画面などに触れることで各種入力が可能となっている。
【００１２】
さらに表示部ケース３の下方には、画面表示のスクロールを行う機能などが割り当てられたボタン群１０が設けられている。このボタン群１０は押された場合に、夫々のボタンに割り当てられた機能を実行する。
【００１３】
本体ケース２と表示部ケース３とはヒンジ部１１により連結されている。このヒンジ部１１は回転軸と旋回軸とを備えている。回動軸は、タッチパネル７とキーボード４とが重なるように、本体ケース２と表示部ケース３とが重なる状態（第１の状態）から、表示部ケース３が本体ケース２に対して立て起こされた状態（第２の状態）との間で矢印Ａ方向に表示部ケース３が回動可能となる。
【００１４】
第２の状態の中でも特に本体ケース２に対して表示部ケース３がタッチパネル７をキーボード４側に向けて直立する状態を第３の状態とする。旋回軸は、この第３の状態から旋回軸を中心に矢印Ｂ方向に表示部ケース３を回転可能である。
【００１５】
また、図１に示すように、特に表示部ケース３が第３の状態から旋回軸１３を中心に矢印Ｂ方向に回転している状態を第４の状態とする。タッチパネル７が露出する面と反対側の背面がキーボード４側に向く状態を第５の状態とする。この第５の状態から表示部ケース３の背面を本体ケース２に重ね合わせた状態を第６の状態とする。
【００１６】
この第６の状態では、キーボード４は表示部ケース３に覆われ、タッチパネル７が外側に露出された状態となり、この状態でもパソコンは動作可能である。この第６の状態では、第１のペン８によりタッチパネル７をタップしたり、軌道を描くことでＬＣＤ６に表示されるアプリケーションウィンドウやカーソルの位置などを操作可能となる。
【００１７】
図２は、図１に示すパソコン１の変形例で、第１のペン８の第１の収納部９が図１に示すパソコンと異なる場所に設けられている構成を示す図である。図２に示すパソコン１では、本体ケース２のキーボード４の左側の側面部に、第１のペン８を収納可能な第１の収納部９が設けられている。この第１の収納部９においては、第１のペン８の一端部が外部へ露出するように第１のペン８を収納する。それ以外の構成は、図１に示すパソコンと同様であり、説明を省略する。
【００１８】
図１及び図２に示すパソコン１の本体ケース２の背面部には、図３に示すように、着脱自在にバッテリ２０を収納可能なバッテリ収納部２１が設けられている。そして、このバッテリ収納部２１の内部には、後述するように、タッチパネル７へ情報の入力を行うことが可能な第２のペン（予備用のペン）２８を収納可能な予備ペン収納部（第２の収納部に相当）２９が設けられている。
【００１９】
この予備に設けられた第２のペン２８は、図４（ｂ）に示すように、その直径ａ２と長さｂ２が、図４（ａ）に示す第１のペン８の直径ａ１と長さｂ１よりも小さく形成されている。本実施例では、第２のペン２８は、第１のペン８の約８割の大きさで形成されている。
【００２０】
ここで、この第１及び第２のペン８、２８が、他の普通のペン形状の部材（入力部材でなく普通のペンでも良い）で代用が利かない特殊な入力部材である場合、第１のペン８に加えて予備用の第２のペン２８を保持していることが特に重要視されることとなる。
【００２１】
図５は、図３においてバッテリ２０を取り外した状態のバッテリ収納部２１を示す図である。図６は、図３の二点鎖線Ｄ−Ｄにおける断面を概略的に示す図である。図７は、図３の一点鎖線Ｅ−Ｅにおける断面を概略的に示す図である。
【００２２】
図５乃至図７に示すように、バッテリ収納部２１は、矩形状のバッテリ２０が着脱自在に取り付け可能に矩形状に形成されている。そしてバッテリ収納部２１は、その長辺側の側面に、予備ペン収納部２９が設けられている。
【００２３】
この予備ペン収納部２９は、より詳しくは、本体ケース２の筺体側面に丸みを持たせて形成された部分内に形成されている。従って、予備ペン収納部２９に第２のペン２８を取り付けた状態でも、バッテリ２０の着脱に影響を与えないような構造となっている。
【００２４】
この予備ペン収納部２９には、更に第２のペン２８を固定するための引掛部３０が形成されており、この引掛部３０により第２のペン２８を引っ掛けることにより、着脱自在に第２のペン２８を固定することが可能となる。
【００２５】
このような構造のパソコン１において、通常の場合（ユーザが第１のペン８を使用している場合）には、第２のペン２８は予備ペン収納部２９に収納されており、バッテリ２０が取り付けられた状態となっている。そして、ユーザが第１のペン８を紛失等して、第１のペンを使用することができない場合に、バッテリ２０を取り外し、第２のペン２８をバッテリ収納部２９の側面部から取り出して第１のペン８の代わりに使用することが可能となる。
【００２６】
従って、本実施例では、バッテリ収納部２９内に予備用のペンの収納部を設けることにより、予備用のペンを収納するための電子機器の筺体の表面積を占有する必要がなく、電子機器の小型化を阻害することがない。また、予備用の第２のペン２８を第１のペン８よりも小さく形成することにより、電子機器内部における予備用の第２のペンを収納するための収納容積をより小さくすることが可能となる。
【図面の簡単な説明】
【００２７】
【図１】本発明の実施形態における電子機器の例としてパーソナルコンピュータ（以下パソコン）１の構成を示す図。
【図２】パソコン１の変形例の構成を示す図。
【図３】パソコン１の本体ケース２の背面部を概略的に示す図。
【図４】予備用の第２のペン２８の形状を説明するための図。
【図５】バッテリ２０を取り外した状態のバッテリ収納部２１を示す図。
【図６】図３の二点鎖線Ｄ−Ｄにおける断面を概略的に示す図。
【図７】図３の一点鎖線Ｅ−Ｅにおける断面を概略的に示す図。
【符号の説明】
【００２８】
１    パーソナルコンピュータ（パソコン）
２    本体ケース
３    表示部ケース
４    キーボード
５    タッチパッド
６    液晶ディスプレイ（ＬＣＤ）
７    タッチパネル
８    第１のペン
９    収納部
１０    ボタン群
１１    ヒンジ部
２０    バッテリ
２１    バッテリ収納部
２８    第２のペン
２９    予備ペン収納部
３０    引掛部
【図１】
2005108038.tif 000003
【図２】
2005108038.tif 000004
【図３】
2005108038.tif 000005
【図４】
2005108038.tif 000006
【図５】
2005108038.tif 000007
【図６】
2005108038.tif 000008
【図７】
2005108038.tif 000009